(57)【特許請求の範囲】
【請求項１】
中空ロッド内に圧力流体供給管を縦通し、
上記圧力流体供給管の端部に、円形輪を形成し、
上記ロッドの端部内周面に、上記円形輪を回転自在に支承する円筒支承面を形成し、
上記円形輪と上記円筒支承面との回転摺動面に、上記円形輪周面及び円筒支承面に食いこみ且つ該回転摺動面母線方向に延長する少くとも１本のピン孔を形成し、該ピン孔に弾性材からなるピンを挿入した、
掘削作業ロッドの圧力流体供給管支持装置。
【発明の詳細な説明】
【技術分野】
【０００１】
本発明は、油圧、水圧等の圧力流体により駆動される拡大掘削刃、回転掘削翼等の掘削作業具をロッド下端に備える掘削作業ロッドにおいて、圧力流体をロッド下端の掘削作業具に供給するための圧力流体供給管をロッドの軸心に安全に支持する装置に関する。
【背景技術】
【０００２】
従来、例えば、ロッドの下端部外側に拡大掘削刃を拡縮揺動自在に取りつけると共に、ロッド下端部内に、上記拡大掘削刃を拡縮揺動させる油圧シリンダを内装した球根造成用の拡大掘削ロッドにおいて、地上の油圧装置から圧力油を上記ロッド下端の油圧シリンダまで供給する管を、定尺ロッドの軸心に縦通すると共に、該供給管端部を上記定尺ロッドのオス、メス継手端部内まで延長し、該供給管の延長端部をホルダーによって上記オス、メス継手内周面に固定した供給管支持構造が一般に使用されている。
【０００３】
しかし、各種掘削作業ロッドにおいて、一定長の定尺ロッドを順次継ぎ足して長尺ロッドに形成する場合、その接続には、六角軸のオス継手と、六角筒のメス継手との差し合わせを使用し、しかも、オス継手とメス継手との差し合わせ及び引き抜き作業を現場で速やかに且つ容易に遂行できるようにするため、一般にオス継手とメス継手の対応部分の寸法に若干のクリアランスを予め設けているのである。
【０００４】
そのため、定尺ロッドを継ぎ足してなる長尺掘削ロッドが回転した時及び回転を停止した時に、上記オス継手とメス継手間のクリアランスが起因となって継手部分にガタ、振動等を生起させ、これがロッド内側の油圧供給管、特に供給管端部を固定するホルダー部分に打撃を与え、時にはホルダーや供給管に損傷を与える欠点があった。
【発明の概要】
【発明が解決しようとする課題】
【０００５】
本発明は、掘削作業ロッドの回転及び停止時にガタや振動が発生しても、ロッド内部に縦通された圧力流体供給管を安全確実に支持することができる圧力流体供給管支持装置を提供することを課題とする。
【課題を解決するための手段】
【０００６】
上記課題解決の手段として、本発明は、
中空ロッド内に圧力流体供給管を縦通し、
上記圧力流体供給管の端部に、円形輪を形成し、
上記ロッドの端部内周面に、上記円形輪を回転自在に支承する円筒支承面を形成し、
上記円形輪と上記円筒支承面との回転摺動面に、上記円形輪周面及び円筒支承面に食いこみ且つ該回転摺動面母線方向に延長する少くとも１本のピン孔を形成し、該ピン孔に弾性材からなるピンを挿入した、
掘削作業ロッドの圧力流体供給管支持装置を提案する。
【発明の効果】
【０００７】
本発明の掘削作業ロッドの圧力流体供給管支持装置によれば、圧力流体供給管がロッドから受ける回転方向の外力を弾性ピンにより緩衝することができるから、掘削作業ロッドの回転及び停止時にガタや振動が発生した時それらのガタや振動を弾性ピンにて緩衝して供給管に損傷が及ぶ危険を防止することができるのである。
【図面の簡単な説明】
【０００８】
【図１】本発明の圧力油供給管支持装置を備えた定尺ロッドの一部省略縦断面図である。
【図２】図１のＩＩ−ＩＩ線拡大断面図である。
【図３】支持装置の要部の拡大縦断面図である。
【発明を実施するための形態】
【０００９】
本発明における上記「圧力流体供給管」は、油圧シリンダ等の圧力流体駆動手段に圧力流体を給送する管のみ、又は上記圧力流体給送管と、圧力流体駆動手段から圧力流体をタンクに戻す排送管の両管を含む場合もある。
又、上記「弾性材からなるピン」は、１本に限らず、２本、３本、４本と複数本設けることもある。
本発明は、中空ロッド（２）内に圧力流体供給管（６）を縦通し、上記圧力流体供給管（６）の端部に、円形輪（１１）を形成し、上記ロッド（２）の端部内周面に、上記円形輪（１１）を回転自在に支承する円筒支承面（１２）を形成し、上記円形輪（１１）と上記円筒支承面（１２）との回転摺動面に、上記円形輪周面及び円筒支承面に食いこみ且つ該回転摺動面母線方向に延長する少くとも１本のピン孔（１３Ａ）を形成し、該ピン孔（１３Ａ）に弾性材からなるピン（１３）を挿入した、掘削作業ロッドの圧力流体供給管支持装置を基本とする。
【実施例】
【００１０】
図１は、下端に拡大掘削刃及び該拡大掘削刃を拡縮揺動させるべき油圧シリンダを備える拡大掘削ロッドを構成するための定尺ロッド（１）である。
【００１１】
上記定尺ロッド（１）は、軸心部に通孔（３）を縦通した中空ロッド本体（２）の一端部分を六角軸からなるオス継手（４）に、他端部分を、上記オス継手（４）と嵌脱自在の六角筒からなるメス継手（５）にそれぞれ形成してあり、この定尺ロッドの通孔（３）内に圧力油供給管（６）を挿通した状態で、本発明による支持装置により該圧力油供給管（６）を支持してある。（７）、（７）は、上記オス、メス継手（４）、（５）の嵌合平面部に貫設された抜け止めピン用のピン孔である。
【００１２】
上記圧力油供給管（６）は、厚手の金属長板（８）内部に、圧力油給送路（９）及び圧力油排送路（１０）を長手方向に沿って平行に縦通したもので、該供給管（６）の一端部外側に円形輪（１１）を外側フランジ状に突設し、一方、ロッド本体（２）の本例ではオス継手（４）がわの通孔（３）端部に、円筒支承面（１２）を形成し、該円筒支承面（１２）に、上記圧力油供給管（６）の円形輪（１１）を回転自在に支承させると共に、上記円形輪（１１）と円筒支承面（１２）の回転摺動面に、上記円形輪外周面及び円筒支承面内周面にそれぞれ食いこみ且つ該回転摺動面の母線方向に延長する２本のピン丸孔（１３Ａ）を互に直径方向相対する位置に開設し、これらピン孔に、合成ゴム等の弾性材からなる弾性丸ピン（１３）、（１３）を嵌入してある。
【００１３】
（１４）、（１４）は、上記弾性丸ピン押え、（１５）、（１５）は、上記給送路（９）及び排送路（１０）の円形輪（１１）がわ開口端に設けたゴムリングつきソケットである（図３）。（１６）、（１６）は、上記給送路（９）及び排送路（１０）のメス継手（５）がわ開口端に突設したプラグである（図１）。
【００１４】
上例の作用を操作とともに次に説明する。先行の定尺ロッド（１）のメス継手（５）に新たな定尺ロッド（１）のオス継手（４）を嵌入しつつ、先行の定尺ロッド（１）の圧力油供給管（６）のプラグ（１６）、（１６）に、新たな定尺ロッドの圧力油供給管のソケット（１５）、（１５）を被嵌し、そして上記オス、メス継手（４）、（５）の抜け止めピン孔（７）、（７）にピンを打ちこみ、以下同様の継ぎ足し作業により必要本数の定尺ロッド（１）…を継ぎ足して長尺ロッドとし、これを回転させて所期の回転掘削を行う。
【００１５】
上記長尺ロッドの回転時及び回転の停止時に、各定尺ロッド（１）、（１）、…の継ぎ足し部のオス、メス継手（４）（５）、…間のクリアランスが起因となって各継手部分にガタ、振動等が発生した場合、これらロッドの回転方向のガタ、振動等を上記弾性ピン（１３）、（１３）により緩衝して、そのまま圧力油供給管（６）…に及ぶことを防止する。
【符号の説明】
【００１６】
１  定尺ロッド
２  中空ロッド本体
１１  円形輪
１２  円筒支承面
１３  弾性ピン
１３Ａ ピン孔
【図１】
0005608571.tif 000002
【図２】
0005608571.tif 000003
【図３】
0005608571.tif 000004